(57)【要約】【課題】個々の住宅等に取り付けることが可能であり、且つ、荷物等を持ったまま、背中や髪の毛に付着した花粉等を容易に除去することができる花粉等除去装置を提供する。【解決手段】住宅１００等の玄関６５近傍に設けられた壁体６６内部にチャンバー４０を配設し、前記チャンバー４０に、単数又は複数の縦長形状の吹き出し開口部４０ａ・４０ｂ・４０ｃを形成し、前記チャンバー４０に、吹き出し方向が可変である可変吹き出し開口部４５を具備し、前記可変吹き出し開口部４５を、地面若しくは床面から１５０ｃｍ以上１９０ｃｍ以下の高さまでの間に配設した。【選択図】図１
2007113852.tif 000002
【特許請求の範囲】
【請求項１】
チャンバーに圧送された空気を該チャンバーより吹き出す花粉等除去装置であって、
住宅等の出入口近傍に設けられた壁体内部にチャンバーを配設し、
前記チャンバーに、単数又は複数の縦長形状の吹き出し開口部を形成したことを特徴とする花粉等除去装置。
【請求項２】
前記チャンバーに、吹き出し方向が可変である可変吹き出し開口部を具備したことを特徴とする請求項１に記載の花粉除去装置。
【請求項３】
前記可変吹き出し開口部を、地面若しくは床面から１５０ｃｍ以上１９０ｃｍ以下の高さまでの間に配設したことを特徴とする請求項２に記載の花粉等除去装置。
【請求項４】
前記チャンバーに、該チャンバーに設けられた吹き出し開口部に対応する吹き出し孔を形成した壁パネルを張設するとともに、
前記壁パネルが、前記壁体の壁面に現れるようにしたことを特徴とする請求項１又は請求項３に記載の花粉等除去装置。
【請求項５】
前記壁パネルに、該壁パネルを隠蔽可能な化粧カバーを設けたことを特徴とする請求項４に記載の花粉等除去装置。
【請求項６】
前記チャンバーへの空気圧送手段として、ブロアを備え、
前記ブロアを住宅等の軒天井裏、床下、出入口収納の何れかに配設したことを特徴とする請求項１乃至請求項５のいずれか一項に記載の花粉等除去装置。
【発明の詳細な説明】
【技術分野】
【０００１】
本発明は、住居等の居住者や訪問者の衣類等に付着した花粉等を取り除くための花粉等除去装置の技術に関する。
【背景技術】
【０００２】
住宅等の中で引き起される花粉症等のアレルギー症状は、居住者や訪問者が衣類等に付着した花粉等を住宅の中に持ち込むことが原因とされており、従来より、住宅等に防塵室を設ける技術が公知となっている（例えば、特許文献１参照。）。特許文献１に記載の技術では、屋外と居住部との間、すなわち住宅への入口部に、いわゆるエアシャワー装置を備えた防塵室が設けられ、住宅内に入る前又は入った直後に衣類等に付着した花粉等を吹き落とすようにしている。
また、出入口近傍に圧縮空気を噴出する空気吹出ノズルを設け、該空気吹出ノズルを屋外側から引き出すことができるようにした、粉塵除去装置が公知となっている（例えば、特許文献２参照。）。
【特許文献１】特開２００１−４１５２２号公報
【特許文献２】特開２０００−３５６３８０号公報
【発明の開示】
【発明が解決しようとする課題】
【０００３】
しかし、特許文献１の防塵室は設備が大掛かりなものとなり、居住空間を狭めてしまうため、一般住宅に設けるには不向きであった。そして、特許文献２の粉塵除去装置は、圧縮空気を吹き出すノズルを使用者自身の手で持って、使用者が圧縮空気を浴びる構成であるため、背中等に付着した粉塵等が落とし難く、荷物を抱えている場合は、粉塵等の除去作業が行い難かった。
本発明の課題は、個々の住宅等に取り付けることが可能であり、且つ、荷物等を持ったまま、背中や髪の毛に付着した花粉等を容易に除去することができる花粉等除去装置を提供することにある。
【課題を解決するための手段】
【０００４】
本発明の解決しようとする課題は以上の如くであり、次にこの課題を解決するための手段を説明する。
【０００５】
即ち、請求項１においては、チャンバーに圧送された空気を該チャンバーより吹き出す花粉等除去装置であって、住宅等の出入口近傍に設けられた壁体内部にチャンバーを配設し、前記チャンバーに、単数又は複数の縦長形状の吹き出し開口部を形成したものである。
【０００６】
請求項２においては、前記チャンバーに、吹き出し方向が可変である可変吹き出し開口部を具備したものである。
【０００７】
請求項３においては、前記可変吹き出し開口部を、地面若しくは床面から１５０ｃｍ以上１９０ｃｍ以下の高さまでの間に配設したものである。
【０００８】
請求項４においては、前記チャンバーに、該チャンバーに設けられた吹き出し開口部に対応する吹き出し孔を形成した壁パネルを張設するとともに、前記壁パネルが、前記壁体の壁面に現れるようにしたものである。
【０００９】
請求項５においては、前記壁パネルに、該壁パネルを隠蔽可能な化粧カバーを設けたものである。
【００１０】
請求項６においては、前記チャンバーへの空気圧送手段として、ブロアを備え、前記ブロアを住宅等の軒天井裏、床下、出入口収納の何れかに配設したものである。
【発明の効果】
【００１１】
本発明の効果として、以下に示すような効果を奏する。
【００１２】
請求項１においては、チャンバーが壁体内部に収められるので、従来の防塵室のような大掛かりな設備が必要無くなり、居住空間を狭めることがないので、一般住宅等にも備えることが容易となる。また、構造が簡単であり低廉な価格で提供することができるため、一般の住宅等にも採用することが容易となる。
また、縦長形状の吹き出し開口部を設けたことにより、使用者の人体の形状に沿って空気を吹き出すことができ、衣類等に付着した花粉等の除去作業を効率良く行なうことができる。そして、使用者が立っている方向を転換するだけで、背中等に付着した花粉等を除去することができるため、荷物を地面に置く必要が無くなる。
【００１３】
請求項２においては、可変吹き出し開口部を設けたことにより、任意の場所に集中して空気を吹き出すことができ、髪の毛等に付着した花粉等の除去作業が行い易くなる。
【００１４】
請求項３においては、使用者の身長に合わせて吹き出し方向を変更することができるので、子供から大人まで使用者の体格に合わせて、効率良く花粉等の除去作業を行なうことができる。
【００１５】
請求項４においては、壁体の壁面よりチャンバーを壁パネルにて隠蔽することができ、住宅等の壁体の意匠に合わせて、壁パネルを配設することができる。
また、壁パネルの意匠を壁体の意匠に相応しいものとすることで花粉等除去装置を各住宅等に適用させることができるので、チャンバーなどの他の構成要素は量産品とすることが可能となり、コストダウンに寄与することができる。
【００１６】
請求項５においては、花粉等除去装置を使用していないときに、前記吹き出し開口部及び吹き出し孔から虫や花粉等が入り込むことを防止することができる。
【００１７】
請求項６においては、特別にブロアの配設空間を設ける必要がなく、コンパクトに花粉等除去装置を配設することができる。
【発明を実施するための最良の形態】
【００１８】
次に、発明の実施の形態を説明する。
図１は本発明の花粉等除去装置１の全体図、図２は壁パネル５０の斜視図、図３は同じく右側面図、図４は同じく背面図、図５はＡ−Ａ矢視断面図、図６はＢ−Ｂ矢視断面図、図７はＣ−Ｃ矢視断面図、図８は化粧カバー６０を開いた状態の玄関６５近傍を示す斜視図、図９は化粧カバー６０を閉じた状態の玄関６５近傍を示す斜視図である。
【００１９】
本発明の花粉等除去装置１は、住宅１００等の玄関６５近傍など、住宅１００の室内空間へ入る前の屋外空間に配設され、室内空間に入ろうとする人に付着している花粉等を除去するためのものである。ここで、住宅１００等とは、戸建住宅やマンションやアパートや病院等の建物全般を言い、本発明の花粉等除去装置１は、それらの住宅１００等の出入口付近に配設されて使用されるものである。
【００２０】
花粉等除去装置１は、図１に示すように、主に、ブロア１０、フィルター２０、ダクト３０、チャンバー４０、壁パネル５０等から構成される。
具体的には、ブロア１０にて、虫や花粉等を除去するためのフィルター２０を介して吸い込まれた空気が、ダクト３０を通過してチャンバー４０へ送られ、該チャンバー４０に形成された吹き出し開口部４０ａ・４０ｂ・４０ｃ・４５から、壁パネル５０の吹き出し孔５０ａ・５０ｂ・５０ｃ・５０ｄを通じて吹き出される。
【００２１】
ブロア１０は、住宅１００等の軒天井裏、床下、出入口収納の何れかなどに配設されるものであり、図１に示すように、住宅１００等の軒天井などに開口した吸気口よりフィルター２０を介して空気を吸い上げて、該吸い上げられた空気をダクト３０へ送り込むものである。ブロア１０は、回転羽根等から構成される送風機である。
ブロア１０により形成される空気の流れの上流側にフィルター２０が配設され、また、空気の流れの下流側にダクト３０が配設されることとなる。ブロア１０の運転中には、ブロア１０の上流側が負圧、下流側が正圧となり、ブロア１０からダクト３０を通じてチャンバー４０へ空気が圧送されることとなる。
【００２２】
このように、花粉等除去装置１に、後述するチャンバー４０への空気圧送手段として、ブロア１０を備え、該ブロア１０を住宅１００等の軒天井裏、床下、出入口収納の何れかに配設したので、特別にブロア１０の配設空間を設ける必要がなく、コンパクトに花粉等除去装置１を配設することができる。
【００２３】
フィルター２０は、前記ブロア１０により形成される気流の上流側に設けられ、ブロア１０に流入する空気を濾過・浄化するものである。本実施例では、フィルター２０の取り換えや清掃がし易いように、住宅１００の軒天井などに開口したブロア１０吸気口に、取替可能に設けられる。
フィルター２０は、合成繊維から構成されるシート部材等によって構成されており、該フィルター２０によって花粉等や虫を取り除くことができる。また、フィルター２０は、該シート部材の多層構造として、匂いを吸着するシートや、花粉等を分解し抑制するシート等を重ね合わせて構成しても良い。
【００２４】
ダクト３０は、ブロア１０により形成される気流の下流側に配置され、ブロア１０とチャンバー４０とを繋ぐものである。詳しくは、該ダクト３０の一側端部がブロア１０の排気口に、該ダクト３０の他側端部がチャンバー４０に連結されている。即ち、ダクト３０は、ブロア１０から送られてくる空気を後述するチャンバー４０へと案内するものである。
本実施例においては、ダクト３０は、送風量を確保しながらも占有高さを低減するために略四角管状に形成され、軒天井裏、床下、出入口収納の何れかに沿って略水平方向に伸延するように配設されている。また、本実施例では、送風音の低減のために、ダクト３０として、断熱材又は吸音材にて構成されたダクトや、断熱材又は吸音材が巻かれたダクトを採用している。
なお、ダクト３０は、ブロア１０とチャンバー４０とを接続するためのものであり、ブロア１０とチャンバー４０とが近接配置される場合などには、該ダクト３０を省略することができる。
【００２５】
チャンバー４０は、壁内部に配設できるように厚みが小さく、上下に細長い略四角管状に構成されており、上部には折れ曲がり部４０ｄが形成されている。
前記チャンバー４０は、住宅１００等の玄関６５近傍の壁体６６内に、該壁体６６の壁面にその一部が現れる様に埋設されており、該チャンバー４０の下端は該壁体６６の下端と略等しい高さに位置し、同じく上端は軒裏等に位置する。そして、チャンバー４０の上部に形成された折れ曲がり部４０ｄの端部は、軒裏等において前記ダクト３０の端部に連結されている。
【００２６】
図１に示すように、壁体６６の壁面に現れたチャンバー４０の一部には、縦長の吹き出し開口部、即ち上下方向に細長い吹き出し口が形成されている。本実施例においては、チャンバー４０に３つの吹き出し口４０ａ・４０ｂ・４０ｃが形成されており、これらは縦方向に並設されている。
前記吹き出し口４０ａ・４０ｂ・４０ｃは縦長形状であるので、使用者の人体の形状に沿って空気を吹き出すことができ、衣類等に付着した花粉等の除去作業を効率良く行なうことができる。そして、使用者が立っている方向を転換するだけで、背中等に付着した花粉等を除去することができるため、荷物を地面に置く必要が無くなる。
【００２７】
以下、吹き出し口４０ａ・４０ｂ・４０ｃの形状及び形成位置について説明する。
最も上方に位置する前記吹き出し口４０ａは、横の長さ、即ち幅が２ｃｍ以上５ｃｍ以下である縦長の吹き出し開口部に形成し、後述する壁パネル５０直前の床や廊下や地面からの高さが１００ｃｍ以上１７０ｃｍ以下の位置に形成している。これによって、使用者７０の人体の形状に沿って空気を吹き出すことができ、大人の肩や上半身の衣類等に付着した花粉等を効率良く除去できる構成としている。
最も下方に位置する前記吹き出し口４０ｃは、横の長さ、即ち幅が２ｃｍ以上５ｃｍ以下である縦長の吹き出し開口部に形成し、後述する壁パネル５０直前の床や廊下や地面からの高さが５ｃｍ以上５０ｃｍ以下の位置に形成して、靴やズボンの裾等に付着した花粉等を効率良く除去できる構成としている。
中間に位置する前記吹き出し口４０ｂは、横の長さ、即ち幅が２ｃｍ以上５ｃｍ以下である縦長の吹き出し開口部に形成し、後述する壁パネル５０直前の床や廊下や地面からの高さが５０ｃｍ以上１００ｃｍ以下の位置に形成して、子供の肩や大人の腰付近の衣類等に付着した花粉等を効率良く除去できる構成としている。
【００２８】
そして、前記チャンバー４０には、前記吹き出し口４０ａ・４０ｂ・４０ｃの上方に、空気の吹き出し方向が調節可能な吹き出し開口部が設けられている。
さらに、前記調節可能な吹き出し開口部は、後述する壁パネル５０直前の地面若しくは床面若しくは廊下から１５０ｃｍ以上１９０ｃｍ以下の高さまでの間に配設されている。これは、子供から大人まで使用者の体格（身長）に合わせて吹き出し方向を変更して、効率良く花粉等の除去作業を行なうためである。
【００２９】
本実施例では、図１及び図８に示すように、吹き出し方向が調節可能な（可変である）可変吹き出し開口部としてパンカールーバー４５を採用しているが、本実施例の形態に限定されるものではなく、チャンバー４０に開口部を形成して、該開口部に上下方向や左右方向に回動自在な風向き板を備える構成であっても良い。
吹き出し方向可変の吹き出し開口部を設けたことにより、任意の場所に集中して空気を吹き出すことができ、髪の毛等に付着した花粉等の除去作業が行い易くなる。
【００３０】
前記壁体６６の壁面に現れたチャンバー４０の一部には、装飾板としての壁パネル５０が張設される。なお、壁パネル５０の表面が壁体６６の表面と略同一平面となるように設けることが、意匠性を高める上で望ましい。
また、壁パネル５０を設け、該壁パネル５０の意匠を壁体の意匠に相応しいものとすることで花粉等除去装置１を各住宅等に適用させることができるので、ブロア１０、ダクト３０及びチャンバー４０などは量産品とすることが可能となり、コストダウンに寄与することができる。
【００３１】
図２及び図７に示すように、前記壁パネル５０は、アルミニウムやステンレスや他の合金等の素材で成る長板形状のものであり、上端及び下端には起立部５０ｇ・５０ｈが形成されている。該壁パネル５０の裏面には、リブ５０ｊ・５０ｊ・５０ｊ・５０ｊが設けられており、壁パネル５０の剛性を高めている。
【００３２】
そして、前記チャンバー４０に設けられた吹き出し口４０ａ・４０ｂ・４０ｃ及びパンカールーバー４５から吹き出す空気の流れを遮らないように、壁パネル５０には適宜位置に吹き出し孔５０ａ・５０ｂ・５０ｃ及び円形吹き出し孔５０ｄが設けられている。
詳しくは、壁パネル５０をチャンバー４０に固設した状態において、壁パネル５０には、チャンバー４０の吹き出し口４０ａ・４０ｂ・４０ｃに対応する位置にその開口形状と略一致する形状の吹き出し孔５０ａ・５０ｂ・５０ｃが形成されており、前記チャンバー４０のパンカールーバー４５に対応する位置にその外周形状と略一致する形状の円形吹き出し孔５０ｄが形成されている。
つまり、壁パネル５０には縦長の吹き出し孔５０ａ・５０ｂ・５０ｃが上下方向に並べて穿設され、該吹き出し孔５０ａ・５０ｂ・５０ｃの上方に略円形の吹き出し孔５０ｄが穿設されている。
【００３３】
詳しくは、上部に位置する前記吹き出し孔５０ａは、横の長さ、即ち幅が２ｃｍ以上５ｃｍ以下である縦長の吹き出し開口部に形成し、壁パネル５０直前の床や廊下や地面からの高さが１００ｃｍ以上１７０ｃｍ以下の位置に形成して、使用者７０の人体の形状に沿って空気を吹き出すことができ、大人の肩や上半身の衣類等に付着した花粉等を効率良く除去できる構成としている。
最も下部に位置する前記吹き出し孔５０ｃは、横の長さ、即ち幅が２ｃｍ以上５ｃｍ以下である縦長の吹き出し開口部に形成し、使用者７０の人体の形状に沿って空気を吹き出すことができ、壁パネル５０直前の床や廊下や地面からの高さが５ｃｍ以上５０ｃｍ以下の位置に形成して、靴やズボンの裾等に付着した花粉等を効率良く除去できる構成としている。
中間に位置する前記吹き出し孔５０ｂは、横の長さ、即ち幅が２ｃｍ以上５ｃｍ以下である縦長の吹き出し開口部に形成し、使用者７０の人体の形状に沿って空気を吹き出すことができ、壁パネル５０直前の床や廊下や地面からの高さが５０ｃｍ以上１００ｃｍ以下の位置に形成して、子供の肩や大人の腰付近の衣類等に付着した花粉等を効率良く除去できる構成としている。
【００３４】
本実施例では、チャンバー４０に４つの吹き出し開口部４０ａ・４０ｂ・４０ｃ・４５を、壁パネル５０に４つの吹き出し孔５０ａ・５０ｂ・５０ｃ・５０ｄを形成しているが、吹き出し開口部及び吹き出し孔の個数は限定するものではない。例えば、縦長の吹き出し開口部と吹き出し孔をそれぞれ１つずつ形成し、そのいずれかを、横の長さ、即ち幅が２ｃｍ以上５ｃｍ以下である吹き出し開口部若しくは吹き出し孔に形成しても良い。これによって、使用者７０の人体の形状に沿って空気を吹き出すことができ、使用者７０の頭部から靴までに付着した花粉等を効率良く除去できる。
【００３５】
そして、該壁パネル５０の上下方向略中央部にはスイッチ孔５０ｆが形成されており、図１及び図８に示すように、壁パネル５０のスイッチ孔５０ｆにはブロア１０のＯＮ・ＯＦＦを切り替えるスイッチ５２が配設される。該スイッチ５２の配線等はスイッチ孔５０ｆを通じて壁パネル５０の裏面より表面に導出することができる。
【００３６】
図１、図８及び図９に示すように、前記壁パネル５０には、該壁パネル５０を覆う化粧カバー６０が設けられる。化粧カバー６０は、壁パネル５０を装飾するとともに、花粉等除去装置１を使用していないときに、吹き出し口４０ａ・４０ｂ・４０ｃや吹き出し孔５０ａ・５０ｂ・５０ｃ・５０ｄから虫や塵等が入り込むことを防止している。
化粧カバー６０は開閉自在であって、該化粧カバー６０を閉じることによって、前記壁パネル５０の吹き出し孔５０ａ・５０ｂ・５０ｃ及び円形吹き出し孔５０ｄ及びスイッチ５２が化粧カバー６０によって覆われ、壁体６６の外観に露出しないように隠蔽される。
【００３７】
図８及び図９に示すように、本実施例においては、化粧カバー６０は壁パネル５０に対して、壁体６６の壁面と略平行方向に摺動することができ、化粧カバー６０と壁パネル５０とが重複した状態（図９）と、化粧カバー６０と壁パネル５０とが重複しない又は一部重複した状態（図８）とが現出される。
【００３８】
図１に示すように、化粧カバー６０の上部には、該化粧カバー６０と前記チャンバー４０のパンカールーバー４５とが干渉しないように、面方向へ突き出した凸部６０ａが形成されている。そして、化粧カバー６０の表面には、使用者が化粧カバー６０の開閉を行なうための握り部６１が固設されている。
【００３９】
図２及び図３に示すように、壁パネル５０の表面には、マグネット５１を固設しており、化粧カバー６０の裏側にも、該化粧カバー６０を閉じた時に前記マグネット５１に対応する位置に、前記マグネット５１と磁着するマグネット（図示せず）が固設されている。このように、化粧カバー６０は、安定して閉状態に保たれるように構成されており、風や、軽い衝撃等によって化粧カバー６０が開いてしまうことを防止している。
【００４０】
次に、本発明の花粉等除去装置１の使用方法について説明する。
住宅１００等の居住者若しくは訪問者（以下、使用者７０とする。）は、玄関６５に到着すると、化粧カバー６０の握り部６１を握って該化粧カバー６０を操作し、化粧カバー６０を開けて、壁パネル５０を露出させる。そして、壁体６６の壁面に現れた壁パネル５０に設けられたスイッチ５２を押して、ブロア１０を始動する。
ブロア１０が始動すると、軒下の空気がフィルター２０を通ってブロア１０内に吸い込まれる。このとき、フィルター２０によって、虫や花粉等が取り除かれた空気がブロア１０内に吸い込まれる。
【００４１】
ブロア１０は吸い込んだ空気をダクト３０へ吹き出し、該空気はダクト３０を通じてチャンバー４０へと案内される。チャンバー４０に到達した空気は、チャンバー４０の吹き出し口４０ａ・４０ｂ・４０ｃを通じて壁パネル５０の吹き出し孔５０ａ・５０ｂ・５０ｃより吹き出され、また、パンカールーバー４５を通じて壁パネル５０の吹き出し孔５０ｄから吹き出される。そして、吹き出された空気は、壁パネル５０前の使用者７０に吹き付けられて、該使用者７０の衣類等に付着した花粉等を吹き落とし、除去する。
【００４２】
ここで、使用者７０は、パンカールーバー４５の方向を調節して、髪の毛等の任意の場所に空気を吹き付けることが可能である。また、吹き付けられる空気によって花粉等を吹き落としている間は、使用者７０は花粉等除去装置１を操作する必要がなく、荷物などを手に持ったまま花粉等除去装置１を使用することができる。
【００４３】
花粉等の除去作業が終了すると、使用者７０は壁パネル５０に設けられたスイッチ５２を押し、ブロア１０の運転を止めてから、化粧カバー６０を閉じる。
【００４４】
なお、上記花粉等除去装置１では、強制気流を形成する手段としてブロア１０（送風機）を採用しているため、ポンプなどを用いて圧縮した空気を使用者７０に吹き付ける場合と比べて、吹き付ける空気の流れが弱い。このため、使用者７０にとって不快感が少なく、子供であっても嫌がることなく使用することができる。
【００４５】
このように、チャンバー４０に圧送された空気を該チャンバー４０より吹き出す花粉等除去装置１であって、
住宅１００等の玄関６５近傍に設けられた壁体６６内部にチャンバー４０を配設し、
前記チャンバー４０に、単数又は複数の縦長形状の吹き出し開口部４０ａ・４０ｂ・４０ｃを形成したので、チャンバー４０が壁体６６内部に収められるので、従来の防塵室のような大掛かりな設備が必要無くなり、居住空間を狭めることがないので、一般住宅１００等にも備えることが容易となる。また、構造が簡単であり低廉な価格で提供することができるため、一般の住宅１００等にも採用することが容易となる。
また、縦長形状の吹き出し開口部４０ａ・４０ｂ・４０ｃを設けたことにより、使用者７０の人体の形状に沿って空気を吹き出すことができ、衣類等に付着した花粉等の除去作業を効率良く行なうことができる。そして、使用者７０が立っている方向を転換するだけで、背中等に付着した花粉等を除去することができるため、荷物を地面に置く必要が無くなる。
【００４６】
また、前記チャンバー４０に、吹き出し方向が可変である可変吹き出し開口部４５を具備したので、可変吹き出し開口部４５を設けたことにより、任意の場所に集中して空気を吹き出すことができ、髪の毛等に付着した花粉等の除去作業が行い易くなる。
【００４７】
また、前記可変吹き出し開口部４５を、地面若しくは床面から１５０ｃｍ以上１９０ｃｍ以下の高さまでの間に配設したので、使用者７０の身長に合わせて吹き出し方向を変更することができるので、子供から大人まで使用者７０の体格に合わせて、効率良く花粉等の除去作業を行なうことができる。
【００４８】
また、前記チャンバー４０に、該チャンバー４０に設けられた吹き出し開口部４０ａ・４０ｂ・４０ｃ・４５に対応する吹き出し孔５０ａ・５０ｂ・５０ｃ・５０ｄを形成した壁パネル５０を張設するとともに、
前記壁パネル５０が、前記壁体６６の壁面に現れるようにしたので、壁体６６の壁面よりチャンバーを壁パネル５０にて隠蔽することができ、住宅１００等の壁体６６の意匠に合わせて、壁パネル５０を配設することができる。
また、壁パネル５０の意匠を壁体６６の意匠に相応しいものとすることで花粉等除去装置１を各住宅１００等に適用させることができるので、チャンバー４０などの他の構成要素は量産品とすることが可能となり、コストダウンに寄与することができる。
【００４９】
また、前記壁パネル５０に、該壁パネル５０を隠蔽可能な化粧カバー６０を設けたもので、花粉等除去装置１を使用していないときに、前記吹き出し開口部４０ａ・４０ｂ・４０ｃ・４５及び吹き出し孔５０ａ・５０ｂ・５０ｃ・５０ｄから虫や花粉等が入り込むことを防止することができる。
【図面の簡単な説明】
【００５０】
【図１】本発明の花粉等除去装置１の全体図。
【図２】壁パネル５０の斜視図。
【図３】同じく右側面図。
【図４】同じく背面図。
【図５】Ａ−Ａ矢視断面図。
【図６】Ｂ−Ｂ矢視断面図。
【図７】Ｃ−Ｃ矢視断面図。
【図８】化粧カバー６０を開いた状態の使用例を示す斜視図。
【図９】化粧カバー６０を閉じた状態の使用例を示す斜視図。
【符号の説明】
【００５１】
１    花粉等除去装置
１０    ブロア
２０    フィルター
４０    チャンバー
４０ａ・４０ｂ・４０ｃ    吹き出し開口部（吹き出し口）
４５    可変吹き出し開口部（パンカールーバー）
５０    壁パネル
５０ａ・５０ｂ・５０ｃ    吹き出し孔
５０ｄ    円形吹き出し孔
６０    化粧カバー
【図１】
2007113852.tif 000003
【図２】
2007113852.tif 000004
【図３】
2007113852.tif 000005
【図４】
2007113852.tif 000006
【図５】
2007113852.tif 000007
【図６】
2007113852.tif 000008
【図７】
2007113852.tif 000009
【図８】
2007113852.tif 000010
【図９】
2007113852.tif 000011